【事件の表示】
　平成５年特許願第３４４８０６号「レンズ検査装置および眼レンズを検査する方法」拒絶査定不服審判事件〔平成６年８月１９日出願公開、特開平６−２２９８７５〕について、次のとおり審決する。
【結　論】
　本件審判の請求は、成り立たない。
【理　由】
Ｉ．手続の経緯
　本願は平成５年１２月２０日（パリ条約による優先権主張１９９２年１２月２１日、米国）の出願であって、平成１７年３月３１日付で拒絶査定がなされ（発送日：同年４月５日）、これに対し、同年７月４日に拒絶査定に対する審判請求がなされるとともに、同年８月３日付で手続補正がなされたものである。そして、当審において平成１９年１月３１日付で通知した拒絶の理由（以下「当審拒絶理由」という）に対し、同年８月６日付で手続補正がなされたものである。
　
II．本願発明について
　本願請求項１乃至１２に係る発明は、当審で提出された平成１９年８月６日付手続補正書により補正された明細書及び図面の記載からみて、その特許請求の範囲の請求項１乃至１２に記載された事項により特定されるものと認められるところ、請求項１の記載は次のとおりである（以下、「本願発明」という）。
「複数の眼レンズを所定の経路に沿って連続して移動させ、前記複数の眼レンズの各々を、一度に１枚ずつ、レンズ検査位置に移動させる搬送副装置であって、前記眼レンズが前記経路に沿って前記レンズ検査位置へ移動する際に前記眼レンズの各々を流体中で保持するレンズキャリアと、前記レンズキャリアを支持し、前記レンズキャリアを移動させて、その中の前記眼レンズの各々を一度に１つずつレンズ検査位置に移動させる、支持アセンブリと、を備える、搬送副装置と、
　一連のコリメートされ断面積を持つ光パルスを生成し、前記流体中にあり直径により定まる占有領域を占める前記眼レンズが前記レンズ検査位置にあるときに前記眼レンズのそれぞれに１つの光パルスを透過させる照明副装置と、
　画素アレイを備え、前記眼レンズを透過させた光パルスの選択された部分を表す信号の１セットを生成する画像副装置と、
　前記画素アレイと前記レンズ検査位置との間に設けられた不透明な障害物と、
　前記不透明な障害物と前記レンズ検査位置との間に配置され、前記レンズ検査位置を透過した大部分の光を前記不透明な障害物上に焦点を結ばせ、前記レンズ検査位置を透過した前記選択された部分の光を前記画素アレイ上に焦点を結ばせる、画像レンズと、
　前記画像副装置からの信号を受信して、所定のプログラムに従って前記信号を処理し、前記複数の眼レンズの各々の少なくとも１つの状態を確認する画像処理副装置と、を具備し、
　前記照明副装置は、前記コリメートされた光パルスが前記眼レンズの前記占有領域よりもほぼ１０〜１５％大きい領域を照明するように、前記コリメートされた光パルスの前記断面積を制御可能である、
　自動レンズ検査装置。」
　
III．引用刊行物
１．引用刊行物一覧
　当審拒絶理由で通知した引用例は以下のとおりである。
　
　引用例１：特開平４−３２１１８６号公報（原審の引用文献１）
　引用例２：特開昭６０−２８８６９号公報（原審の引用文献３）
　引用例３：特開平４−６６９４３号公報（当審にて追加）
　引用例４：特開昭６１−２５６２４１号公報（同上）
　引用例５：特開昭６３−２９８１３６号公報（同上）
　引用例６：特開昭５２−４２８３号公報（同上）
　引用例７：特開平４−１０２０５０号公報（同上）
　引用例８：特開昭６０−１５００２４号公報（同上）
　引用例９：特開昭５６−１４５３３５号公報（同上）
　引用例１０：特開昭６３−１６３１３７号公報（原審の引用文献２）
　
２．引用刊行物記載事項
　引用例１には、図面とともに次の記載がある。
（１）技術分野に関し；
「【０００２】
【従来の技術】光学部品、特にコンタクトレンズなどの目に関する光学部品の製造および品質管理において、検査は今も視覚により行われている。」
（２）暗視野照明に関し；
「【０００４】被検体の照明に関しては、「暗視野照明」による顕微鏡における物体の照明が知られている。かかる暗視野照明は、照明ビームがそれ自体顕微鏡の光路に入らない方法で、光源および照明レンズ（コンデンサ）により物体を照明するようになっている。その結果、物体により光路に散乱される光のみが観測される。
【０００５】照明ビームの中心部分をカバーする集中ダイアフラム・プレートが光路に配置される暗視野照明の照明レンズが公知となっている。ここでは、環状照明ビームは、集光レンズにあたり、物体の平面にある集光レンズのエッジ部により集められ、それから顕微鏡レンズの光路を過ぎた側に向けられる。」
「【００１１】高コントラスト像を生成するために、被検査部品の暗視野照明を実施することが好ましい。適切な散乱光の補助により、被検査部品は、イメージ・センサを含むカメラを随意使って、暗背景に照明される。イメージ・センサはＣＣＤ形式であることが好ましい。この方法で、照明された試料の暗視野像が撮られる。その画像は、傷についてきわめて高いコントラストを示すので、これらの傷は、高コントラスト像を表示する領域として表れる。例えば、暗視野照明における傷は、傷の全くない暗い（黒またはグレー）背景にきわめてはっきりした領域を持つ光の斑点として示される。傷は、引っかき傷、孔、気泡、亀裂、付着断片、塵の蓄積または縮んだ領域などである。傷は、画像区域に領域として表れる。」
（３）検査画像のエリア分割処理に関し；
「【００１３】検査に関して、異なったしきい値が品質基準として事前に設定される異なったゾーンに、試料を分割することもできる。例えば、コンタクトレンズの検査に関して、事前に設定された画像領域の形式における異なった品質基準を、光学ゾーン（optical zone）とレンチキュラーゾーン（lenticular zone）に関して規定することができる。レンズの周囲の質も、コンタクトレンズの周囲の二次元像の形に基づいて定められることができる。」
「【００２６】コンタクトレンズには、通常彫り込みがあるので、検査にはその彫り込みを切り離す必要がある。それが傷として表示される恐れがあるからである。その目的で、図３に示す方形の領域は８つのセクターに分割される。図示された実施態様例においては、彫り込みがセクターＩＩに半分、セクターＩＩＩ　に半分配置されるように位置決めされている。彫り込みの一方の半片は１２時の位置の左側に、また他の半片は右側に置かれ、彫り込みの２つの半片が１２時の位置から等距離となっている。試料６が正しく位置付けされるように、保持・搬送手段８がｘ−ｙ変位手段を備えることもできる。」
（４）液中での検査に関し；
「【００１５】例えば、コンタクトレンズ製造の場合に、水和コンタクトレンズの乾式検査（大気中での検査）および湿式検査（貯蔵液での検査）を実施することができる。部品を透明容器に入れた場合、容器内で部品の最終管理を行うことができる。」
「【００４７】その次の生産段階４３において、コンタクトレンズをモールドから取り外し、図示した画像解析を使って、検査段階４４において乾式検査をコンタクトレンズ上で実施することができる。これにより、生産段階４５において、レンズ体の水和を伴うこともできる。更に次の生産段階４６において、レンズ（乾燥または水和）は、図９および図１０に示す小さなガラス・容器またはいわゆるフォイル・パック（foil　pack）６８に導入される。
【００４８】それから、検査工程４７において、レンズが保管容器６９に導入されたかどうかをチェックすることができる。これは、いわゆる存在チェック（presence　check）の過程で実施される。保管容器中の液体の水準が正しいかどうかもチェックすることができる。その上、保管液およびレンズ自体の清潔さを検査することができる。レンズの品質および屈折力について最終検査を行うこともできる。検査工程４７において説明されている検査は上述の画像解析を使って実施することができる。容器（図９、図１０）は、それから溶接により被覆シート７１でシールされる。」
（５）照明形状を被検査物に合わせることに関し；
「【００１６】すでに述べた照明装置において、暗視野照明における被検査物を照明するため、光源と照明レンズが備えられている。照明レンズの照明形状は、被検査物に適合できるように調節される。」
「【００３７】・・・支持ロッド１６０は、ポット形ハウジング部材１５６の底部に取り付けられ、そのロッドが第１反射体１１０を支えている。・・・支持ロッド１６０および第１反射体１１０は、ポット形のハウジング部材１５６に関連して垂直方向に位置を変えることができる。このようにして、反射体１１０を光源１２０と関連して調節することが可能である。ハウジング部材１５６、光源１２０および第１反射体１１０は、内部スレッド１５４および第２反射体１３０の外部にスレッドされた部分１３８により、第２反射体１３０および従って第２反射器１２８および支持体１４８に関して（またはその逆）、システム軸１１４の方向に全体として位置を変えることができる干渉性部品１７０を形成する。
【００３８】この変位によって、第１に、支持プレートに生成される光点を被検物の寸法に適合させ、第２に、最適コントラストが傷の検出のために設定されるように装置を調節することができる。」
（６）検査装置構成に関し；
「【００１８】
【実施例】図面を参照して、本発明を実施態様で更に詳細に説明する。図１は、光学部品を検査するために使用する装置を示す。被検査部品６は、保持・搬送手段（holding　and　transporting　means）８の上に置かれる。照明手段１は、高コントラスト像生成装置５を備え、暗視野照明装置の形式を取ることができる。光が繰返し反射、散乱される光源１８を使って、被検査部品６は、暗背景１９の前で照明される。
【００１９】画像処理装置２は、その方法で生成される高コントラスト像または暗視野像を処理するために設置される。画像処理装置２は、イメージ・センサ４を有する画像記録手段３を備えている。これは、例えば、ＣＣＤとして設計されたイメージ・センサ４を有するビデオ・カメラでもよい。」
（７）検査結果に基づく選別操作に関し；
「【００３１】前述の傷は、しきい値ストア（thresold　value　stores）と連係して、図４に示したゾーン分割を設定する記憶手段２１（図１１）の助けを得て、画像解析装置９（図１）において検出することができる。・・・対応するゾーンに対する関連ピクセル・カウンターがある。それぞれのゾーンにおける傷のサイズの数値を表示するピクセル・カウンターは、それらの数値を既述の関連しきい値ストア２７、２８および２９に接続する比較器（conparators）２４、２５および２６に伝達する。・・・。
【００３２】更に、比較器２４、２５および２６のそれぞれの比較結果に基づいて、セレクタ１１（図１）が、直接または中間ストア３０を介して動かされる。セレクタ１１は、保持・搬送手段８に接続してあるかまたは操作的に接続する。これは、図１において破線により線図で示されている。被検査部品６は、比較結果により品質要件を満たすとき、保持・搬送手段８の上に置かれ、それから次の処理装置に移される。部品６が品質要件を満たさない場合は、セレクタ１１の作用により保持・搬送手段８から取り外される。」
（８）効果に関し；
「【００５７】
【発明の効果】上記の説明から、特に図７および８図と関連して、完全な監視および同時に１００％の自動化を光学画像解析を使って光学部品の生産において実現可能なことがわかる。これは特にコンタクトレンズの製造に適用される。この手段により、望ましい製品の品質が全体の生産の流れを絶えず監視すること（工程間制御）により保証され、その結果、最終制御なしに済ますことができる。このような監視は、特に大量に生産されるコンタクトレンズ（使い捨てレンズ）にとって、効果的である。本発明により保証される品質管理は、事前に設定できる品質基準に準拠し、従って再現性にすぐれた客観的な品質管理となる。」
（９）コンタクトレンズ周囲の観察範囲に関し；
「【００２８】図４は、コンタクトレンズに例をとってゾーンに分割した線図である。半径ｒ１によって定められた１つの領域は、コンタクトレンズの光学ゾーンＯＺを形成する。半径ｒ２とｒ３は、彫り込みを有するセクターとして書き込みゾーンに定め、検査の対象外とする。
　　レンチキュラーゾーンＬＺは、半径ｒ１およびｒ４の間の領域により定められ、レンズの周囲Ｒは、半径ｒ４により定められる。
【００２９】異なった傷のしきい値が光学ゾーンＯＺおよびレンチキュラーゾーンＬＺに関して設定されることができるが、光学ゾーンＯＺに関する傷のしきい値は、レンチキュラーゾーンＬＺに関する傷のしきい値より低く設定しなければならない。周囲の誤差しきい値も周囲Ｒに関して設定することができる。例えば、縦および／または横の寸法は５０μｍより大きくできないとするなどであり。しかし、傷のしきい値は、本発明の場合、例えば、２０μｍとはるかに低く設定することができる。
これは、光学ゾーンＯＺおよびレンチキュラーゾーンＬＺにおける傷のしきい値にも適用される。傷のしきい値は、コンタクトレンズすなわち被検査部品６の品質がどの程度高いかに従って設定される。
【００３０】一方、画像の二次元ゾーンに関して、適切な関連する傷のしきい値を設定し、コンタクトレンズの周囲Ｒの傷の検出を図５および図６に図示した原理に従って行うことができる。これに関し、多くの判定基準を、個々に、または全体として考慮に入れることができる。１つの判定基準は、特定の周囲位置にある半径が事前に設定された半径の偏差△Ｒｇ／２を越えて平均半径Ｒｍからはずれているかどうかが基準となり得る。別の検討基準は、それらの極端な半径偏差が全体として一定のしきい値を超えているかどうかが基準になろう。最終的に、検査される他の判定基準は、周囲の湾曲形状が、例えば図５における２つの湾曲部分Ｃ１とＣ２の間、また湾曲部分Ｃ３とＣ４の間で図示されているように、円形から著しくずれているかどうかである。例えば、図６は、約１５０度で、顕著な半径偏差があることを示している。これは、図５においてＲ１−Ｒ２によって示されている。周囲が湾曲部分Ｃ３とＣ４の間において円形から著しく偏差しているのを図６においても見ることができる。図６においても、顕著な半径偏差が約２６０度から３６０度までの領域において認めることができる。」
（１０）画像処理に関し；
「【００２０】ビデオ・カメラは、２次元高コントラスト像を可視化できるモニタ（図示していない）に接続することができる。イメージ・センサがＣＣＤの形式となっている場合は、ＣＣＤ構成により、画像を例えば５００×７００の画像要素（ピクセル）に自動的に分割する、すなわち自動画像分割がある。読取・変換装置７を使って、高コントラスト像の個々の画像要素を走査し、二進信号に変換することができる。なお、その信号は記憶され、次に説明するように更に処理される。
【００２１】試料の高コントラスト像１２の１実施態様例は、二進イメージの形式で図２に示す。これは、例えば、検査されるコンタクトレンズの高コントラスト像１２としても考えられる。試料６の表面の傷または隠れた傷は、高コントラスト像１２において２次元図として示される。これらは、例えば、二次元図として示されている傷１３、１４、１５、１６および１７であり、孔、気泡、不純物、付着断片などであり得る。
【００２２】図２に示す通り、二次元図として示されるこれらの傷または傷の領域は、個々の画像要素いわゆるピクセルに分割される。その分割は、例えば、読取・変換装置７と連係したイメージ・センサ４（ＣＣＤ）を使って行うことができる。
【００２３】ピクセルの数を確認する（例：カウントによる）画像解析装置９（画像の分割、ピクセルのカウント、ピクセルの比較）は装置７に接続されている。その目的のため、画像解析装置９は、適切に設計されたカウント手段（図１１におけるピクセル・カウンタ２３）を有することができる。」
（１１）被検査物品の位置合わせに関し；
「【００２５】画像捕捉ストア（ｉｍａｇｅ−ｃａｐｔｒｕｅ　ｓｔｏｒｅ）２０は、ビデオ・カメラまたは画像記録手段３のイメージ・センサ４により記録された被検査部品６の画像を読取装置７（図１）から受け取る。その画像は、図２に示される形式を取ることもある。品質管理に関して、画像生成装置１と画像処理装置２の中央にかつ正確に被検査部品６を配置するために、配置・センタリング制御手段２２が画像捕捉手段２０に接続される。制御手段２２は、試料６が中央に配置されない場合、それに応じて保持・搬送手段８（図１）を制御する。
図３に示された方形領域にレンズを位置決めするために、まず最初に探索領域の外側境界線を表すレンズの周囲が検出される。位置決めにあたり、探索は「外側から内方に向けて」実施される。」
（１２）図１には、コンタクトレンズ６は保持・運搬手段８の上でほぼ水平に保持され、照明装置からの光をコンタクトレンズに透過させることにより１つずつ個々に検査することが示されている。また、画像記録手段３がハウジングと呼ぶべきケース内に格納されていることも、該図１から明らかである。
（１３）図５，６には、コンタクトレンズの平均半径Ｒｍよりも径が大きい方向への半径偏差を測定することが記載されている。
　
　上記記載から、引用例１には次の発明が記載されている（以下「引用発明１」という。）。
「コンタクトレンズの大量生産工程に於いて各コンタクトレンズの品質を自動監視・管理する装置に於いて、各レンズを、貯蔵液などの液体が入れられた小さなガラス・容器またはいわゆるフォイル・パック、または保管容器６９に導入された状態で、一枚ずつｘ−ｙ変位手段により検査位置に位置づけする保持・搬送手段と、検査位置にあるレンズに暗視野照明を施し、支持プレートに生成される光点を被検物の寸法に適合させることで照明レンズの照明形状を被検査物に適合できるようにする調節機構を備えた照明装置と、ＣＣＤ形式のイメージセンサを有するビデオ・カメラを備え、傷が光の斑点として示される暗視野像を検出する、ハウジングに格納された画像記録手段と、コンタクトレンズを透過した照明光による暗視野像に於ける傷の領域に対応するピクセルの数をカウントする画像解析装置とを備え、該カウントした数値としきい値との比較結果により品質要件を満たすとき、保持・搬送手段の上に置かれ、それから次の処理装置に移され、コンタクトレンズが品質要件を満たさない場合は、セレクタの作用により保持・搬送手段から取り外される、装置。」
　
IV．対比
　引用発明１の
 (a)「保持・搬送手段」、(b)「フォイル・パック」及び「保管容器」、(c)「ｘ−ｙ変位手段」、(d)「照明装置」、(e)「コンタクトレンズ」、(f)「ＣＣＤ」、(g)「画像記録手段」、(h)「画像解析装置」、(i)「コンタクトレンズの大量生産工程に於いて各コンタクトレンズの品質を監視・管理する装置」、(j)「液体」及び「貯蔵液」、(k)「品質要件を満たさない場合」、(l)「傷」、(m)「被検物の寸法」
は、それぞれ本願発明の 
(a)「搬送副装置」、(b)「レンズキャリア」、(c)「支持アセンブリ」、(d)「照明副装置」、(e)「眼レンズ」、(f)「画素アレイ」、(g)「画像副装置」、(h)「画像処理副装置」、(i)「自動レンズ検査装置」、(j)「流体」、(k)「１つの状態」、(l)「選択された部分」、(m)「眼レンズの占有領域」
に相当することが明らかである。
　また、引用発明１の「ビデオ・カメラ」がＣＣＤに像を形成するための対物レンズを備えていることは自明であり、該対物レンズは本願発明の「画像レンズ」に相当する。
　また、引用発明１の画像解析装置が傷の領域に対応するピクセルをカウントし、次いで該ピクセルの数値をしきい値と比較する一連の処理が自動で行われるためには、ＣＰＵ等の制御手段が存在し、該制御手段を動作させるための何らかのプログラムが存在することは自明である。
　また、引用発明１は、支持プレートに生成される光点を被検物の寸法に適合させることで照明レンズの照明形状を被検査物に適合できるようにする調節機構を備えており、該調節機構の機能は、照明副装置が光の断面積を制御可能であるという本願発明の機能に相当する。そして、引用発明１の、照明レンズの照明形状を被検査物に適合できるようにするという制御目的と、本願発明の、光が眼レンズの占有領域よりもほぼ１０〜１５％大きい領域を照明するようにするという制御目的とは、眼レンズの占有領域に応じて照射領域を調節するものである点で共通する。
　
　よって、引用例１記載の発明と本願発明とを比較すると、両者は
（一致点）
「眼レンズの各々を、一度に１枚ずつ、レンズ検査位置に移動させる搬送副装置であって、前記眼レンズが前記経路に沿って前記レンズ検査位置へ移動する際に前記眼レンズの各々を流体中で保持するレンズキャリアと、前記レンズキャリアを支持し、前記レンズキャリアを移動させて、その中の前記眼レンズの各々を一度に１つずつレンズ検査位置に移動させる、支持アセンブリと、を備える、搬送副装置と、
　前記流体中にあり直径により定まる占有領域を占める前記眼レンズが前記レンズ検査位置にあるときに前記眼レンズのそれぞれに１つの光を透過させる照明副装置と、
　画素アレイを備え、前記眼レンズを透過させた光の選択された部分を表す信号の１セットを生成する画像副装置と、
前記レンズ検査位置を透過した前記選択された部分の光を前記画素アレイ上に焦点を結ばせる、画像レンズと、
　前記画像副装置からの信号を受信して、所定のプログラムに従って前記信号を処理し、前記複数の眼レンズの各々の少なくとも１つの状態を確認する画像処理副装置と、を具備し、前記照明副装置は、眼レンズの占有領域に応じて光の照射領域を調節するように照射領域を制御可能である、自動レンズ検査装置。」
である点で一致し、以下の各点で相違する。
（相違点１）
　検査対象である眼レンズが、本願発明では、複数の眼レンズを所定の経路に沿って連続して移動しているものであるのに対し、引用発明１では、大量生産される眼レンズを自動検査することは示されているものの、具体的に連続搬送される眼レンズに対し順次検査を行うものであるかどうかは明記されていない点。
（相違点２）
　本願発明では、照明副装置が各眼レンズに対し、一連の光パルスを生成・照射するものであるのに対し、引用発明１では、照明装置のパルス発光や該パルスと眼レンズの搬送との関係については記載がない点。
（相違点３）
　本願発明では、照明副装置から照射される光の照射領域に制御目標が、眼レンズの前記占有領域よりもほぼ１０〜１５％大きい領域を照明するようにすることであるのに対し、引用発明１では、そのような数値限定がなされていない点。
（相違点４）
　本願発明では、暗視野光学系を、照明副装置から照射される光をコリメートされ断面積を持つものとし、画素アレイとレンズ検査位置との間に不透明な障害物を設け、画像レンズが不透明な障害物と前記レンズ検査位置との間に配置され、前記レンズ検査位置を透過した第１の部分の光を前記不透明な障害物上に焦点を結ばせるように配置されることで構成しているのに対し、引用発明１は、照射光を画素アレイに直接入射されない角度で照射することで暗視野光学系を構成するもので、照射光はコリメートされておらず、不透明な障害物に相当する部材も備えていない点。
　
Ｖ．当審の判断
（１）相違点１について
　連続移動する工業製品を移動経路上に設置した光学検査装置により一つずつ順次検査するシステムは、引用例２、３及び７にも記載されたとおり周知慣用のものであり、引用発明１が前提とするコンタクトレンズの大量生産工程への適用にあたり、前記周知慣用技術を採用することは、当業者が容易に想到し得た事項である。
　
（２）相違点２について
　連続的に搬送される製品に対し一つずつ順次光学検査を行う際に、常時照明手段で搬送路を照明するのではなく、被検物が検査位置に来る度に照明手段がフラッシュ発光する即ち光パルスを生成するようにすることは、引用例２及び７にも記載されたとおりの周知技術に過ぎず、引用発明１に於いて連続搬送とパルス光とを組み合せた検査システムを採用することは当業者が容易に為し得たことである。
　
（３）相違点３について
　引用発明１も、上記III．２．（１２）に摘記したように、コンタクトレンズの平均半径よりも径が大きい方向への半径偏差を測定することが可能なように設計されているのであり、また、検査位置への位置づけに於いても、上記III．２．（１１）に抜記したように、暗視野像（高コントラスト像）に対しレンズの周囲を検出するためにレンズの外側境界線の探索が行われるのであるから、照明装置の照射領域が、コンタクトレンズの寸法、即ち占有領域よりも大きく設定されていることは明らかである。
　そして、照射領域を占有領域よりもどの程度大きく設定するかは、想定されるコンタクトレンズの半径偏差の程度や、前記位置づけ時の位置ずれの想定範囲に応じて適宜設定されるべきものであり、これを本願発明に於いて「占有領域よりもほぼ１０〜１５％大きい領域」と数値限定した点は、該数値範囲に関し本願明細書中に何らの臨界的効果も記載されていないことに鑑みても格別なことではなく、当業者が必要に応じて適宜為し得たことに過ぎない。
　
（４）相違点４について
　被検体と撮像手段との間に、順に集光レンズと遮光手段とを一直線状に配し、前記遮光部材を集光レンズによる照明光の焦点位置に、前記撮像手段被検体から散乱した光の集光レンズによる焦点位置にそれぞれ配するようにする光学系は、暗視野方式による透明体の欠陥測定装置に於ける周知慣用の暗視野光学系に過ぎない（引用例３及び４参照）。よって、同じく暗視野方式による透明体の欠陥測定装置に属する引用発明１に於いて、暗視野光学系として前記周知慣用のものを採用することは、当業者が容易に為し得たことである。
　
　そして、本願発明の作用効果も、引用発明１および上記周知技術から当業者であれば予測できる範囲のものである。
　
VI．むすび
　以上のとおり、本願発明は、引用例１に記載された発明及び周知技術に基づいて、当業者が容易に発明をすることができたものであるから、特許法第２９条第２項の規定により特許を受けることができない。
　したがって、請求項２乃至１２に係る発明について審理するまでもなく、本件出願は拒絶されるべきものである。
　よって、結論のとおり審決する。